(57)【特許請求の範囲】
【請求項１】
一端が、建物内に設置されたテレビ端子を介してテレビ共聴用のケーブルの外被導体と接続され、他端が、建物内に設置された１００ＶＡＣラインのコールド側と接続される受信機と、
前記受信機と接続され、前記受信機から出力される特定周波数帯域の信号を微弱電波にして携帯端末に対して輻射可能なアンテナ装置と、
を有する受信装置であって、
前記受信機は、前記テレビ共聴用のケーブルの外被導体と前記１００ＶＡＣラインのコールド側との間で誘起した電波の内、中波電波を前記特定周波数帯域の信号として取り出して出力する中波電波信号出力部を備え、前記中波電波信号出力部から出力される中波電波信号を前記アンテナ装置に送信することを特徴とする受信装置。
【請求項２】
前記アンテナ装置は、同一面内で所定回数巻回され、前記携帯端末の内部アンテナと磁界結合可能な中波用の渦巻きアンテナ素子を有することを特徴とする請求項１に記載の受信装置。
【請求項３】
前記受信機は、前記テレビ共聴用のケーブルの芯線と接続されてＶＨＦ・ＵＨＦ電波信号を取得可能であると共に、前記中波電波信号出力部から出力される中波電波信号とＶＨＦ・ＵＨＦ電波信号を合成する合成器を有しており、
前記アンテナ装置は、前記合成器で合成される混合波を輻射可能とするように、ＶＨＦ・ＵＨＦ用のアンテナ素子と前記中波用の渦巻きアンテナ素子を同一面内で直列接続したことを特徴とする請求項２に記載の受信装置。
【請求項４】
前記ＶＨＦ・ＵＨＦ用のアンテナ素子は、渦巻き型に形成されると共に、前記中波用の渦巻きアンテナ素子の内側となるように接続されており、
前記ＶＨＦ・ＵＨＦ用のアンテナ素子は、終端抵抗を配して終端処理され、前記中波用の渦巻きアンテナ素子は、前記終端抵抗よりも上流側で、ＶＨＦ・ＵＨＦ用チョークコイルを介在して前記ＶＨＦ・ＵＨＦ用のアンテナ素子と直列に接続されていることを特徴とする請求項３に記載の受信装置。
【請求項５】
前記中波用の渦巻きアンテナ素子とＶＨＦ・ＵＨＦ用のアンテナ素子は、プリント基板上にエッチングで形成されていることを特徴とする請求項３又は４に記載の受信装置。
【請求項６】
前記テレビ共聴用のケーブルの芯線と受信機出力部との間に、中波阻止用のコンデンサを配置したことを特徴とする請求項３から５のいずれか１項に記載の受信装置。
【請求項７】
前記中波電波信号出力部と受信機出力部との間に、ＶＨＦ・ＵＨＦ波阻止用のコイルを配置したことを特徴とする請求項３から６のいずれか１項に記載の受信装置。
【請求項８】
前記中波電波信号出力部と、前記１００ＶＡＣラインと接続されるコールド側のラインとの間に、低周波阻止用のコンデンサを配置したことを特徴とする請求項１から７のいずれか１項に記載の受信装置。
【請求項９】
前記テレビ共聴用のケーブルの外被導体と前記１００ＶＡＣラインと接続されるホット側のラインとの間に、通電を検知する検知素子を配置したことを特徴とする請求項１から８のいずれか１項に記載の受信装置。
【発明の詳細な説明】
【技術分野】
【０００１】
本発明は、ラジオ放送やテレビ放送を受信する受信装置に関し、詳細には、マンションや戸建て住宅などの建物内であっても、前記放送を良好に視聴可能にする受信装置に関する。
【背景技術】
【０００２】
通常、ラジオは、非常災害時において、重要な情報伝達媒体となるが、現在市販されている中波受信用のラジオでは、場所によって受信状況が悪くなるという問題がある。例えば、マンションや戸建て住宅では、コンクリート壁や、その構造体によって電波遮蔽（電波の減衰）が生じてしまい、ラジオ送信所から比較的近い地域であっても、室内での放送受信が困難になるケースがある。また、屋外にアンテナを設置しても、受信した電波を屋内まで伝達するのは容易ではない。さらに、最近では、室内に置かれる各種家電製品もデジタル化が進み、常時、電波を放出していることから、雑音が混入し易くなり、良好な聴取ができないという問題もある。
【０００３】
このような問題を解決する手法として、例えば、特許文献１には、鉄筋コンクリート住宅等であっても、中波放送を良好に受信できる中波ラジオ受信装置が開示されている。  
この特許文献に開示されている中波ラジオ受信装置は、ループアンテナ素子、このループアンテナ素子で補足された電波を復調する受信機回路部、及び受信機回路部からの復調音声を振幅または周波数変調して搬送波となる赤外線として放出する赤外線変調／放出器部を有する第１の部分と、第１の部分から放出された赤外線を音声変調してスピーカやイヤホン等で聴取できるようにした第２の部分と、を備えており、前記第１の部分を窓ガラスに取着してループアンテナ素子で中波を受信し、ここから放出された赤外線を、室内に設置された第２の部分で受信して聴取できるよう構成されている。
【先行技術文献】
【特許文献】
【０００４】
【特許文献１】特開平１０−３１３２５６号
【発明の概要】
【発明が解決しようとする課題】
【０００５】
上記した特許文献１に開示されている中波ラジオ受信装置では、住宅やマンションの窓に中波を受信するループアンテナを具備した第１の部分を取着して中波を受信する方式となっているため、建物内の全ての部屋で使用できない可能性がある。例えば、建物内でも窓のない部屋もあり、さらに、窓に隣接して建物等が存在する等、電波の受信状況が悪い部屋では、窓にループアンテナを具備した第１の部分を取着しても良好に受信できないこともある。
【０００６】
また、第１の部分で受信したＡＭ放送を変調して赤外線を放出し、これを第２の部分に送信し復調して再生する方式であるため、その間に障害物が存在すると、第２の部分で受信できなくなってしまう。さらに、第１の部分と第２の部分で構成される専用の機器が必要となり、通常、一般人が所有している市販された携帯端末（ラジオ、ワンセグ放送を受信可能な各種の端末等）を利用することはできない。
【０００７】
本発明は、上記した問題に着目してなされたものであり、マンションや戸建て住宅内において電波障害が生じることなく、一般の携帯端末を利用して、ラジオ放送やテレビ放送を良好に視聴可能とする受信装置を提供することを目的とする。
【課題を解決するための手段】
【０００８】
本発明は、中波ラジオ受信用のアンテナとして、マンションや戸建て住宅内に設置されている一般的なテレビ共聴用のケーブルと電灯線の１００ＶＡＣラインに着目し、これらを有効利用して、受信される電波状況の改善を図ることを特徴としている。  
すなわち、本発明に係る受信装置は、一端が、建物内に設置されたテレビ端子を介してテレビ共聴用のケーブルの外被導体と接続され、他端が、建物内に設置された１００ＶＡＣラインのコールド側と接続される受信機と、前記受信機と接続され、前記受信機から出力される特定周波数帯域の信号を微弱電波にして携帯端末に対して輻射可能なアンテナ装置と、を有しており、前記受信機は、前記テレビ共聴用のケーブルの外被導体と前記１００ＶＡＣラインのコールド側との間で誘起した電波の内、中波電波を前記特定周波数帯域の信号として取り出して出力する中波電波信号出力部を備え、前記中波電波信号出力部から出力される中波電波信号を前記アンテナ装置に送信することを特徴とする。
【０００９】
上記した構成の受信装置は、受信機と、受信機と接続され、ラジオ放送であるＡＭ波信号を輻射するアンテナ装置とを有しており、前記受信機は、一端が、一般的な同軸ケーブルを介して建物内に設置されたテレビ端子を介してテレビ共聴用のケーブルの外被導体と接続され、他端が、電源コネクタ（コンセント）を介して建物内に設置された１００ＶＡＣラインのコールド側と接続されるようになっている。この場合、前記外被導体はＧＮＤ接続された状態となるため、外被導体には、電波が誘起されるようになり、この誘起された電波の内、中波電波信号出力部によって、中波電波（ＡＭラジオ波）を特定周波数帯域の信号として取り出し、これをアンテナ装置に送信する。アンテナ装置では、受信機で取り出された特定周波数帯域の信号を微弱電波にして輻射することから、その近傍にラジオ等の携帯端末を置くことでＡＭラジオ放送を聴取することが可能となる。
【００１０】
上記した構成におけるアンテナ装置は、同一面内で所定回数巻回され、前記携帯端末の内部アンテナと磁界結合可能な中波用の渦巻きアンテナ素子を有するように構成しても良い。
【００１１】
このような構成のアンテナ装置は、アンテナ素子が同一面内で渦巻き状に巻回されることから、アンテナ装置そのものをコンパクト化することが可能となる。
【００１２】
また、上記した構成における前記受信機は、前記テレビ共聴用のケーブルの芯線と接続されてＶＨＦ・ＵＨＦ電波信号を取得可能であると共に、前記中波電波信号出力部から出力される中波電波信号とＶＨＦ・ＵＨＦ電波信号を合成する合成器を有し、さらに、前記アンテナ装置は、前記合成器で合成される混合波を輻射可能とするように、ＶＨＦ・ＵＨＦ用のアンテナ素子と前記中波用の渦巻きアンテナ素子を同一面内で直列接続した構成にしても良い。
【００１３】
このように、受信機をテレビ共聴用のケーブルの芯線と接続することで、テレビ共聴用のケーブルの外被導体から取得される中波電波信号（ＡＭラジオ信号）に加え、ＦＭ放送及びテレビ放送の電波信号（ＶＨＦ・ＵＨＦ信号）を取得することが可能となる。この場合、前記中波電波信号とＶＨＦ・ＵＨＦ信号は、合成器によって合成され、前記アンテナ装置側に送信される。そして、アンテナ装置は、前記中波用の渦巻きアンテナ素子とＶＨＦ・ＵＨＦ用のアンテナ素子が同一面内で直列接続されており、これにより、アンテナ装置では、合成器で合成された混合波が輻射され、ＡＭラジオ放送に加え、ＦＭ放送やテレビ放送（ワンセグ放送）を視聴することが可能となる。
【００１４】
また、上記した構成では、前記ＶＨＦ・ＵＨＦ用のアンテナ素子を渦巻き型に形成して、前記中波用の渦巻きアンテナ素子の内側となるように接続し、さらに、前記ＶＨＦ・ＵＨＦ用のアンテナ素子は、終端抵抗を配して終端処理を施し、前記中波用の渦巻きアンテナ素子は、前記終端抵抗よりも上流側で、ＶＨＦ・ＵＨＦ用チョークコイルを介在して前記ＶＨＦ・ＵＨＦ用のアンテナ素子と直列に接続するようにしても良い。
【００１５】
このように、ＶＨＦ・ＵＨＦ用のアンテナ素子を渦巻き型に形成して、前記中波用の渦巻きアンテナ素子の内側となるように直列に接続することで、アンテナ装置をコンパクト化することが可能となる。また、ＶＨＦ・ＵＨＦ用のアンテナ素子は、終端抵抗を配して終端処理を施すことで、伝搬されるＶＨＦ・ＵＨＦ電波信号は、端部側で吸収（終端抵抗で電力消費される）されて反射することがなくなり、広帯域の電波を輻射する進行波アンテナとして機能させることが可能となる。さらに、中波用の渦巻きアンテナ素子は、前記終端抵抗よりも上流側で前記ＶＨＦ・ＵＨＦ用のアンテナ素子と直列に接続されており、前記終端抵抗と直列に中波阻止コンデンサを挿入することで、終端抵抗に、伝搬される中波電波信号が吸収されることがないと共に、ＶＨＦ・ＵＨＦ用チョークコイルを介在したことで、中波用の渦巻きアンテナ素子にＶＨＦ・ＵＨＦ信号が流れることもない。これにより、中波帯〜ＶＨＦ帯〜ＵＨＦ帯までの広帯域で、指向性及び輻射特性に優れたアンテナ装置にすることが可能となる。
【００１６】
また、上記した構成では、前記中波用の渦巻きアンテナ素子とＶＨＦ・ＵＨＦ用のアンテナ素子は、プリント基板上にエッチングで形成しても良い。
【００１７】
このような構成によれば、中波用の電波とＶＨＦ・ＵＨＦ用の電波を輻射するアンテナ装置を、効率的に小型化して製造することが可能となる。
【００１８】
また、上記した構成では、前記テレビ共聴用のケーブルの芯線と受信機出力部との間に、中波阻止用のコンデンサを配置しておくことが好ましい。
【００１９】
このような構成によれば、前記中波電波信号出力部で取り出された中波電波がテレビ共聴用のケーブルの芯線に流れることが防止される。
【００２０】
また、上記した構成では、前記中波電波信号出力部と受信機出力部との間に、ＶＨＦ・ＵＨＦ波阻止用のコイルを配置しておくことが好ましい。
【００２１】
このような構成によれば、前記中波電波信号出力部側に、ＶＨＦ・ＵＨＦ信号が流れることが防止される。
【００２２】
また、上記した構成では、前記中波電波信号出力部と、前記１００ＶＡＣラインと接続されるコールド側のラインとの間に、低周波阻止用のコンデンサを配置しておくことが好ましい。
【００２３】
このような構成では、受信機を１００ＶＡＣラインのホット側に誤って接続した際、１００Ｖ交流電源が、テレビ共聴用のケーブルの外被導体に作用することが防止される。
【００２４】
また、上記した構成では、前記テレビ共聴用のケーブルの外被導体と前記１００ＶＡＣラインと接続されるホット側のラインとの間に、通電を検知する検知素子を配置しておくことが好ましい。
【００２５】
このような構成では、受信機の電源入力部（コンセント）を１００ＶＡＣラインのホット側に接続すると、検知素子がこれを報知するため、前記テレビ共聴用のケーブルの外被導体が建物内に設置された１００ＶＡＣラインのコールド側と接続（ＧＮＤ接続）されたことを把握することが可能となる。
【発明の効果】
【００２６】
本発明によれば、マンションや戸建て住宅内において電波障害が生じることなく、一般の携帯端末を利用して、ラジオ放送やテレビ放送を良好に視聴可能とする受信装置が得られる。
【図面の簡単な説明】
【００２７】
【図１】本発明に係る受信装置を用いてラジオ放送及びテレビ放送を視聴可能にする全体的なシステムの概略構成を示すブロック図。
【図２】受信装置の全体構成を示すブロック図。
【図３】アンテナ装置の概略構成を示す図。
【図４】図３に示すアンテナ装置を具現化した一構成例を示す図。
【発明を実施するための形態】
【００２８】
以下、本発明に係る受信装置の一実施形態について添付図面を参照しながら具体的に説明する。  
図１は、本実施形態を構成する受信装置を用いてラジオ放送及びテレビ放送を視聴可能にする全体的なシステムの概略構成を示すブロック図であり、図２は、受信装置の全体構成を示したブロック図である。
【００２９】
マンションや戸建て住宅には、各部屋でテレビ放送が視聴可能となるように、屋外に設置された地デジ用のＵＨＦアンテナ８１で受信された電波を各部屋に配信する館内共聴設備８０が設けられている。この館内共聴設備８０は、前記ＵＨＦアンテナ８１以外に、混合器、増幅器、分配器、分波器、ブロックコンバータ等を含んで構成されており、家屋内に敷設されたテレビ共調用のケーブル（以下、共聴ケーブルと称する）８３を介して、各部屋に配設されている同軸ケーブル用のテレビ端子（ＴＶ端子ＢＯＸ）８５に接続されている。なお、館内共聴設備８０には、前記地デジ用のＵＨＦアンテナ８１以外にも、ＦＭ放送を受信可能なＶＨＦアンテナ８２やケーブルテレビ（ＣＡＴＶ）ラインが接続されていても良い。
【００３０】
本発明における受信装置１は、マンションや戸建て住宅内において、地デジ対応テレビ８７に接続される前記テレビ端子８５、及び、各種の電気機器に対して電源供給する１００ＶＡＣライン用の電源コンセント８８が設置されている部屋で使用することが可能となっており、当該受信装置１は、一端がテレビ端子８５を介して共聴ケーブル８３の外被導体と接続され、他端が１００ＶＡＣラインの電源コンセント８８のコールド側（ＧＮＤ側）と接続される受信機１０と、この受信機１０と接続され、受信機１０から出力される特定周波数帯域の信号を微弱電波にして携帯端末に対して輻射可能なアンテナ装置２１と、を有している。
【００３１】
前記受信装置１を構成する受信機１０は、一端側を、接続ライン（同軸ケーブル）１２を介して前記共聴ケーブル８３の外被導体８３ａと接続し、他端側を、電源コネクタ１３を介して前記１００ＶＡＣラインのコールド側（ＧＮＤ側）と接続することで、前記共聴ケーブル８３の外被導体８３ａを受信アンテナとして機能させるようになっている。すなわち、共聴ケーブル８３の外被導体８３ａをＧＮＤ接続することによって、外被導体８３ａは、一端をＧＮＤ接続した導体として機能し、外部に露出した領域において、ラジオ放送（中波電波であるＡＭ波；５２６．５KHz〜１６０６．５KHz）を含む様々な帯域の電波が誘起されるようになる。
【００３２】
前記受信機１０は、前記外被導体８３ａと１００ＶＡＣラインのコールド側との間で誘起した電波の内、ラジオ放送として聴取することが可能な中波電波（ＡＭ波）を特定周波数帯域の信号として取り出して出力する中波電波信号出力部１５を備えている。また、本実施形態の受信機１０は、前記接続ライン１２を前記共聴ケーブル８３の芯線８３ｂと接続するようにして、ＦＭラジオ放送及び地デジデジタル放送に対応するＶＨＦ・ＵＨＦ電波信号も取得できるよう構成されている。このため、受信機１０は、中波電波信号出力部１５から出力される中波電波信号と、共聴ケーブル８３の芯線８３ｂから取得されるＶＨＦ・ＵＨＦ電波信号を合成し、各電波の混合信号を、出力部２０を介してアンテナ装置２１に出力する合成器１８を備えている。
【００３３】
本実施形態における前記中波電波信号出力部１５は、高周波トランス１５Ａによって構成されている。この高周波トランス１５Ａは、外被導体８３ａで誘起した電波の内、中波電波（ＡＭ波）を最も通し易い材料（強磁性体）で形成されており、一次コイル及び二次コイルが巻回されたトロイダルコアを備えている。すなわち、外被導体８３ａで誘起された一次側に入力される広い帯域の電波信号は、トロイダルコアによって、二次側において中波電波信号が取り出され合成器１８側に出力される。なお、中波電波信号出力部１５については、所定の帯域の周波数（ＡＭ波）が取り出せるものであれば良く、上記した高周波トランス以外にも、例えば、バンドパスフィルタによって構成しても良い。
【００３４】
図２に示すように、合成器１８には、高周波トランス１５Ａで取り出された中波電波信号と芯線８３ｂから取得されるＶＨＦ・ＵＨＦ電波信号が入力されるようになっている。このような構成では、前記共聴ケーブル８３の芯線８３ｂと出力部２０とを接続する接続ライン上に、中波阻止用のコンデンサＣ１を配設しておくことが好ましい。さらに、芯線８３ｂと接続されるラインと前記外被導体８３ａとの間にＶＨＦ・ＵＨＦ電波信号阻止用のチョークコイルＬ１を配置することが好ましい。これにより、芯線８３ｂから取得されるＶＨＦ・ＵＨＦ電波信号は出力部２０に伝搬されると共に、前記高周波トランス１５Ａで取り出された中波電波信号が共聴ケーブル８３の芯線８３ｂに流れることが防止され、例えば、別の部屋で視聴するテレビ放送に影響を与えることが防止される。
【００３５】
また、上記した合成器２０の構成では、前記高周波トランス１５Ａと出力部２０との間に、ＶＨＦ・ＵＨＦ電波信号阻止用のコイルＬ２を配置しておくことが好ましい。これにより、高周波トランス１５Ａ側に、ＶＨＦ・ＵＨＦ電波信号が流れることが防止される。なお、コイルＬ２の高周波トランス側導体と外被導体８３ａとの間に、ＶＨＦ・ＵＨＦ電波信号パス用のコンデンサＣ２を配設しておくことで、前記コイルＬ２を通過したＶＨＦ・ＵＨＦ電波信号を外被導体８３ａ側に流すことが可能となる。
【００３６】
また、上記した構成では、前記高周波トランス１５Ａと前記１００ＶＡＣラインと接続されるコールド側のラインとの間に、低周波阻止用のコンデンサＣ３が配置されている。これにより、電源コネクタ１３のコールド側を誤って電源コンセント８８のホット側に接続しても、１００Ｖ交流電源が共聴用ケーブル８３の外被導体８３ａに作用することを確実に防止することが可能となる。
【００３７】
なお、上記した構成において、共聴ケーブル８３の外被導体８３ａと前記１００ＶＡＣラインに接続されるホット側のライン（電源コネクタ１３のホット側）との間に、通電を検知する検知素子（例えば、通電した際に点灯する表示ランプ）１９を配設することが好ましい。このような構成では、受信機１０の電源コネクタ１３のホット側を電源コンセント８８のホット側に接続すると、検知素子である表示ランプ１９が点灯するため、共聴ケーブル８３の外被導体８３ａが建物内に設置された１００ＶＡＣラインのコールド側と接続（ＧＮＤ接続）されたことを把握することが可能となる。
【００３８】
前記アンテナ装置２１は、上記のように構成される受信機１０と同じ部屋に設置され、受信機１０の出力端子（前記出力部位２０）との間で接続ケーブルを介して接続される。このアンテナ装置２１は、受信機１０から出力される特定周波数帯域の信号（本実施形態では、高周波トランス１５Ａからの中波電波信号と、共聴ケーブル８３の芯線８３ｂからのＶＨＦ・ＵＨＦ電波信号）を微弱電波にして、携帯端末（例えば、一般的なＡＭラジオ９０やワンセグ放送を受信可能な携帯電話９１等）に対して輻射可能に構成されている。この場合、アンテナ装置２１は、同一の部屋内で、それらの携帯端末でＡＭラジオ放送やワンセグテレビ放送が視聴できれば良く、具体的には、アンテナ装置２１から３ｍの距離で、ＡＭラジオ波は５００μＶ／ｍ以下、ＵＨＦテレビ（ワンセグ）波は３５μＶ／ｍ以下の電界強度となるように構成されていれば良い。
【００３９】
図３は、アンテナ装置２１の概略構成を示す図である。  
この図に示すように、アンテナ装置２１は、受信機１０の出力部２０からの接続ラインが接続される入力部２２を備えており、この入力部からアンテナ素子が接続されている。この場合、アンテナ素子は、前記合成器１８で合成される混合波を共振させることなく、そのまま輻射できるように、ＶＨＦ・ＵＨＦ用のアンテナ素子２３と中波用のアンテナ素子２５が直列接続された進行波型となるように構成されている。
【００４０】
前記ＶＨＦ・ＵＨＦ用のアンテナ素子２３は、ＶＨＦ波からＵＨＦ波までを近距離で広帯域に輻射できるように、ＶＨＦ波であるＦＭ波（１００MHz）の１／４波長に対応する長さ（約７５ｃｍ程度）を有する導電体で構成されており、進行波のみをアンテナ素子上に存在させて、端部で当該進行波が反射しないように（広帯域の輻射となるように）、終端抵抗Ｒを設置して終端させている。すなわち、アンテナエレメントの端部を終端抵抗Ｒで終端させることで、進行波のみの状態で反射波が生じることを防止し、これにより、周波数によってインピーダンスが大きく変動することが抑制されて、広帯域の電波を安定して輻射することが可能となる。また、前記中波用のアンテナ素子２５は、終端抵抗Ｒで中波電波信号が吸収されないように、中波阻止用コンデンサＣ４が終端抵抗Ｒと直列に接続されると共に中波阻止用コンデンサＣ４の手前で分岐されており、ＡＭラジオ９０の内部アンテナ（バーアンテナ）と磁界結合できるように、同一面内で所定回数巻回された渦巻き型として構成されている。この場合、中波用のアンテナ素子２５は、目安として、ＡＭラジオ９０の筐体を２〜３回程度、巻回した構成（１０ｃｍ程度の大きさ）にすることで、その内部アンテナに対して効率的な磁界結合を得ることが可能である。
【００４１】
なお、前記終端抵抗Ｒについては、ＶＨＦ・ＵＨＦ電波信号が、広帯域で輻射できるように、３００±１００Ω程度のものであれば良い。また、前記中波阻止用コンデンサＣ４については、１ＭＨｚ時において、インピーダンス（１．６ＫΩ）、終端抵抗Ｒ（３００Ω）に対して十分高い値（例えば、１００ｐＦ程度）であれば良い。さらに、前記中波用のアンテナ素子２５の入力端（前記終端抵抗Ｒとの分岐点側）には、ＶＨＦ・ＵＨＦ用のチョークコイルＬ３が配設されており、中波用のアンテナ素子２５に、ＶＨＦ・ＵＨＦ電波信号が流れないようしている。
【００４２】
図４は、図３に示したアンテナ装置を具現化した一構成例を示す図である。  
前記アンテナ装置２１は、基板、例えば、１０ｃｍ四方の矩形型のフィルム状の樹脂板２１Ａに、上記したアンテナ素子２３，２５を直列状に取着して構成されている。この場合、ＶＨＦ・ＵＨＦ用のアンテナ素子２３は、図に示すように、同一面内で渦巻き型となるように構成されており、前記渦巻き型の中波用のアンテナ素子２５は、前記ＶＨＦ・ＵＨＦ用のアンテナ素子２３を囲むように配設されている。すなわち、ＶＨＦ・ＵＨＦ用のアンテナ素子２３を渦巻き型に構成し、これを、渦巻き型の中波用のアンテナ素子２５の内側に配設して、両アンテナ素子２３，２５を同一平面内となるように配設することで、アンテナ装置２１をコンパクト化することが可能となる。
【００４３】
なお、上記したアンテナ装置２１は、ＶＨＦ・ＵＨＦ用のアンテナ素子２３と中波用の渦巻きアンテナ素子２５をプリント基板上にエッチングで形成しても良い。このような構成によれば、中波用の電波とＶＨＦ・ＵＨＦ用の電波を輻射するアンテナ装置を、効率的に小型化して製造することが可能となる。或いは、上記基板については、樹脂以外にも、布や木材等、非導電性の部材を用いても良い。
【００４４】
また、上記したアンテナ装置２１では、ＶＨＦ・ＵＨＦ用のアンテナ素子２３を、例えば、ポリエチレン等の非導電体によって被覆することで、ＶＨＦ・ＵＨＦ電波信号の波長を短縮化して、ＦＭ波の略１／４波長程度の長さを有するＶＨＦ・ＵＨＦ用のアンテナ素子２３の長さを短くすることが可能となる。すなわち、例えば、被覆材となるポリエチレンの比誘電率は２．３であり、これを被覆することで、波長短縮率は０．６６程度となることから、ＶＨＦ・ＵＨＦ用のアンテナ素子２３における効率的な輻射が可能となる１／４波長程度の長さについても短くすることが可能となり、アンテナ装置２１をより小型化することが可能となる。この場合、アンテナ素子２３を被覆する材料については、適宜、変更することができ、それに応じて、アンテナ素子２３の長さについても変更することが可能である。
【００４５】
上記したように構成される受信装置１では、前記受信機１０を、一般的な同軸ケーブル（接続ライン１２）を介して建物内に設置されたテレビ端子８５を介して共聴用ケーブル８３の外被導体８３ａに接続すると共に、電源コネクタ１３のコールド側を電源コンセント８８のコールド側に接続することで、導電体である外被導体８３ａは、ＧＮＤ接続された状態となってアンテナ機能を果たすようになり、外被導体８３ａに電波が誘起される。そして、この誘起された電波は、中波電波信号出力部である高周波トランス１５Ａによって、中波電波（ＡＭラジオ波）が特定周波数帯域の信号として取り出され、アンテナ装置２１に送信される。また、前記接続ライン１２は、共聴用ケーブル８３の芯線８３ｂとも接続されることから、ＦＭ放送及びテレビ放送の電波信号（ＶＨＦ・ＵＨＦ信号）を取得することが可能となる。そして、中波電波信号とＶＨＦ・ＵＨＦ信号は、合成器１８によって合成されてアンテナ装置２１に送信され、アンテナ装置２１では、受信機１０からの信号を微弱電波にして輻射することから、その近傍にラジオ等の携帯端末９０，９１を置くことで、ＡＭラジオ放送、ＦＭ放送、及びテレビ放送を視聴することが可能となる。
【００４６】
このため、上記した受信装置１によれば、テレビ端子８５が設けられている屋内であれば、建物の立地環境や部屋の間取り、窓の有無に関係なく、上記した放送を建物内で高感度に受信することが可能となり、また、一般的に市販されている各種の携帯端末（携帯ラジオ、携帯テレビ等）を利用することが可能となる。
【００４７】
以上、本発明の実施形態について説明したが、本発明は、上記した実施形態に限定されることはなく、種々変形することが可能である。  
上記した実施形態では、受信装置１は、共聴ケーブル８３の芯線８３ｂと接続されて、ＦＭ放送やテレビ放送も視聴できるように構成されていたが、ＡＭ放送のみを受信できる構成であっても良い。この場合、上記したアンテナ装置２１のアンテナ素子２３を設ける必要はなく、全体構成を簡略化することが可能になる。また、アンテナ装置２１のアンテナ素子２３，２５については、平板（基板）上に同一面となるように形成したが、立体的に構成されていても良い。
【符号の説明】
【００４８】
１  受信装置
１０  受信機
１３  電源コネクタ
１５  中波電波信号出力部
１５Ａ  高周波トランス
１８  合成器
２１  アンテナ装置
２３  ＶＨＦ・ＵＨＦ用のアンテナ素子
２５  中波用のアンテナ素子
８３  共聴ケーブル
８３ａ  外被導体
８３ｂ  芯線
【図１】
0005706302.tif 000002
【図２】
0005706302.tif 000003
【図３】
0005706302.tif 000004
【図４】
0005706302.tif 000005